(57)【要約】【課題】室内の他の物品とデザイン上の不調和を来たさず、且つ消臭剤の容器を設置するための専用のスペースを要すことなく室内の悪臭を消臭することができる壁掛用布製品を提供することを課題とする。【解決手段】壁に掛ける布製のカレンダーは、布製の本体１と数字や文字等を形成する突起部２とによって構成されている布製の本体１は、ポリエステル製の緯糸と、消臭セルロース繊維からなる経糸という２種類の織糸によって織成されている。【選択図】　図１
0003099272.tif 000002
【実用新案登録請求の範囲】
【請求項１】
布地により構成される壁掛用布製品において、前記布地を構成する織糸の少なくとも一部の織糸が、過酸化水素と二価鉄塩とを含む水溶液中においてセルロース繊維にメタクリル酸をグラフト共重合させることによって分子中にカルボキシル基が導入された消臭セルロース繊維を紡糸して得られる織糸であることを特徴とする壁掛用布製品。
【請求項２】
前記織糸は経糸であることを特徴とする請求項１に記載の壁掛用布製品。
【請求項３】
前記壁掛用布製品は、布製のカレンダーであることを特徴とする請求項１または２に記載の壁掛用布製品。
【請求項４】
前記壁掛用布製品は、タペストリーであることを特徴とする請求項１または２に記載の壁掛用布製品。
【考案の詳細な説明】
【０００１】
【考案の属する技術分野】
本考案は、タペストリーや布製のカレンダー等の室内の壁に掛ける壁掛用布製品に関するものである。
【０００２】
【従来の技術】
近年、室内の悪臭を除去するための消臭剤が数多く販売されている。これらの消臭剤は、一般に専用の容器に収められており、使用者はこの専用の容器を室内に載置したり室内の壁に掛けたりして室内の消臭を行っている。
【０００３】
【考案が解決しようとする課題】
しかしながら、これらの消臭剤を収めた専用の容器を室内に設置する場合には、その容器を設置するためのスペースが必要となる。また、一般に市販されている専用の容器を室内に設置した場合には、既存のインテリアと不調和を来たすようなこともあった。
【０００４】
本考案の目的は、室内の壁に掛けることを目的として長年に亘って使用されてきたという歴史を持ち、その結果として室内の他の物品と調和する洗練されたデザインを有しているタペストリーや布製カレンダー等の壁掛用布製品に消臭効果を付加するという構成にすることによって、室内の他の物品とデザイン上の不調和を来たさず、且つ消臭剤の容器を設置するための専用のスペースを要すことなく室内の悪臭を消臭することができる壁掛用布製品を提供することにある。
【０００５】
【課題を解決するための手段】
以上の目的を達成するために本考案は、布地により構成される壁掛用布製品において、前記布地を構成する織糸の少なくとも一部の織糸が、過酸化水素と二価鉄塩とを含む水溶液中においてセルロース繊維にメタクリル酸をグラフト共重合させることによって分子中にカルボキシル基が導入された消臭セルロース繊維を紡糸して得られる織糸であることを特徴とするものである。
【０００６】
【考案の実施の形態】
以下、図面を用いて本考案の実施形態について説明する。
【０００７】
図１は本考案の一実施形態に係る壁掛用の布製のカレンダーの平面構成を示した構成図であり、図２（ａ）はそのＸ−Ｘ断面の構成図である。
【０００８】
図１および図２（ａ）に示したように本実施形態は、布製の本体１と、文字や数字等の形態を形成する突起部２とによって構成されている。
【０００９】
図２（ｂ）は、図２（ａ）の本体１部分の拡大図である。図２（ｂ）に示したように本実施形態の本体１は、ポリエステル製の緯糸１０と、消臭セルロース繊維からなる経糸２０という２種類の織糸によって織成されている。
【００１０】
ここで、本実施形態の本体１の経糸２０に用いられている消臭作用を有する消臭セルロース繊維からなる織糸について説明する。
【００１１】
この消臭作用を有する糸は、特開平６−１８４９４１号公報に開示されている消臭作用を有する消臭セルロース繊維を紡糸することによって製造された糸である。
【００１２】
すなわち、この消臭作用を有する糸は、過酸化水素と二価鉄塩とを含む水溶液中においてセルロース繊維にメタクリル酸をグラフト共重合させることによって分子中にカルボキシル基が導入された消臭セルロース繊維を紡糸して得られる糸である。なお、この消臭作用を有する糸の素材としては、綿等の天然繊維の他、レーヨン等も用いることができる。
【００１３】
このような消臭セルロース繊維を紡糸して得られる糸の消臭能力は、既に行われた実験により、同じ重量の活性炭の５倍であることが確認されている。さらに、この消臭セルロース繊維の消臭能力は、通常の洗濯や乾燥させたり日光に当てたりすることにより何度でも回復することができる。
【００１４】
この消臭セルロース繊維からなる糸は、その長さに比例して消臭能力が増すので、本実施形態においては、緯糸１０に比して使用量の多い経糸２０にこの消臭セルロース繊維からなる糸を使用している。
【００１５】
本実施形態で経糸２０として使用している織糸は、消臭セルロース繊維を紡糸して得られる６０番手の糸を３本撚ったもの（６０／３）で、そのデニール（ｄ）は２５６ｄである。この織糸を２４５ｍ使用すれば、縦３．６ｍ、横２．７ｍ、高さ２．５ｍである６畳部屋内の２ｐｐｍの濃度のアンモニアによる悪臭を消臭できることが既に行われた実験により確認されている。本実施形態においては、緯糸１０の長さ方向３．３ｃｍあたり経糸２０を１２０本配設しているので、経糸２０の長さ方向の本体１の幅を３０ｃｍとした場合、その緯糸の長さ方向の本体１の長さが、
２４５００÷３０÷１２０×３．３（ｃｍ）
すなわち約２２．５ｃｍであれば、６畳部屋の２ｐｐｍの濃度のアンモニアによる悪臭を消臭することができる。
【００１６】
以上説明したように、図１に示した本実施形態の大きさが、３０（ｃｍ）×２２．５（ｃｍ）以上であれば、この本実施形態を６畳部屋の壁に掛けておけば、その部屋の悪臭を十分に消臭することができる。
【００１７】
なお、本実施形態においては、経糸２０に消臭セルロース繊維からなる織糸を使用しているが、緯糸１０にも消臭セルロース繊維からなる織糸を使用した場合には、より小さい周辺寸法で同様の消臭効果を発揮させることができる。
【００１８】
以上説明した実施形態は、壁掛用の布製のカレンダーであるが、本考案は、本体が布地で構成されている壁掛用布製品であればどのような布製品にでも適用することができる。例えば、壁面の装飾を目的とするタペストリーにも本考案は好適である。
【００１９】
【考案の効果】
以上説明したように、本考案によれば、室内の他の物品とデザイン上の不調和を来たさず、且つ消臭剤の容器を設置するための専用のスペースを要すことなく室内の悪臭を消臭することができる壁掛用布製品を提供することができる。
【図面の簡単な説明】
【図１】本考案の一実施形態の平面構成を示す構成図である。
【図２】図１に示した実施形態の一部の断面の構成を示す断面図であり、（ｂ）は（ａ）の本体１部分の拡大図である。
【符号の説明】
１　布製の本体
２　突起部
１０　緯糸
２０　経糸
【図１】
0003099272.tif 000003
【図２】
0003099272.tif 000004
【手続補正書】
【提出日】平成15年9月11日(2003.9.11)
【手続補正１】
【補正対象書類名】明細書
【補正対象項目名】請求項１
【補正方法】変更
【補正の内容】
【請求項１】
布地により構成される布製の本体と文字や数字等の形態を形成する突起部とからなる壁掛用布製品において、前記布地を構成する織糸の少なくとも一部の織糸が、過酸化水素と二価鉄塩とを含む水溶液中においてセルロース繊維にメタクリル酸をグラフト共重合させることによって分子中にカルボキシル基が導入された消臭セルロース繊維を紡糸して得られる織糸であることを特徴とする壁掛用布製品。
【手続補正２】
【補正対象書類名】明細書
【補正対象項目名】０００５
【補正方法】変更
【補正の内容】
【０００５】
【課題を解決するための手段】
以上の目的を達成するために本考案は、布地により構成される布製の本体と文字や数字等の形態を形成する突起部とからなる壁掛用布製品において、前記布地を構成する織糸の少なくとも一部の織糸が、過酸化水素と二価鉄塩とを含む水溶液中においてセルロース繊維にメタクリル酸をグラフト共重合させることによって分子中にカルボキシル基が導入された消臭セルロース繊維を紡糸して得られる織糸であることを特徴とするものである。